(57)【要約】【課題】別体としての物品支持装置を設置する必要がなく、設備費を低減するとともに、コンベヤの上面の一部を簡単に作業台として使用し得るようにする。【解決手段】前後方向を向く１対のコンベヤフレーム３，３の下面に、その一方の側端より起立するとともに、工具２３等の物品を支持可能なコ字状の支持アームを設ける。【選択図】  図２
2004203558.tif 000002
【特許請求の範囲】
【請求項１】
前後方向を向くコンベヤフレームに、該コンベヤフレームの左右いずれか一方の側端より上向きに起立するとともに、物品を支持可能な支持アームを設けたことを特徴とするコンベヤにおける物品支持装置。
【請求項２】
コンベヤフレームが左右１対よりなり、両コンベヤフレームの下面に、支持アームの下端に連接された左右方向を向く下部水平杆を固定した請求項１に記載のコンベヤにおける物品支持装置。
【請求項３】
左右１対のコンベヤフレームの下部に、前後方向を向き、かつ下端が開口する取付溝を設け、該取付溝内に回転不能かつ前後移動可能に嵌合されたナット部材に、支持アームの下部水平片に挿入したボルトを螺合することにより、コンベヤフレームに、支持アームを、前後方向に位置調節可能に取付けた請求項２に記載のコンベヤにおける物品支持装置。
【請求項４】
支持アームが、コンベヤフレームの下面に取付けられた下部水平杆と、その側端より起立する垂直杆と、該垂直杆の上端にコンベヤの搬送面と対向するように連設された上部水平杆とからなる正面視コ字状をなす少なくとも前後１対の支持アームからなり、かつ両支持アームの上部水平杆同士を連結杆により連結したものである請求項１ないし３のいずれかに記載のコンベヤにおける物品支持装置。
【発明の詳細な説明】
【０００１】
【発明の属する技術分野】
本発明は、工場や倉庫等において使用されるコンベヤに係り、特に、コンベヤの上面を作業台代わりとして使用し得るように、作業に必要な種々の物品を支持可能な支持アームを備えてなるコンベヤにおける物品支持装置に関する。
【０００２】
【従来の技術】
例えば工場の組立てラインに用いられるコンベヤは、単に物品を搬送するだけでなく、製品を組立てる作業台として使用されることがある。
【０００３】
このように、コンベヤを作業台代わりとして使用する際には、製品組立て時の作業能率を向上するために、コンベヤの近傍に、工具や部品等を支持しておくための物品支持装置（作業台）が設置されることがある（例えば特許文献１参照）。
【０００４】
【特許文献１】
特開２００１−３０１８７公報（図１）
【０００５】
【発明が解決しようとしている課題】
上述のように、コンベヤの近傍に、それとは別体の物品支持装置（作業台）を設置することは、設備費が増大するだけでなく、設置や移動に手間がかかるとともに、コンベヤの側方に作業台設置用のスペースを確保する必要があり、また、床面に設置したベース脚や支柱が歩行等の妨げとなることがある。
【０００６】
本発明は、上記問題点を解決するためになされたもので、物品の支持部材をコンベヤと一体化することにより、設備費を低減し得るとともに、コンベヤの上面の一部を簡単に作業台として使用することができ、しかも設置スペースを最小限にでき、かつ歩行等の妨げとなるのを防止し得るようにしたコンベヤにおける物品支持装置を提供することを目的としている。
【０００７】
【課題を解決するための手段】
上記目的を達成するために、本発明のコンベヤにおける物品支持装置は、前後方向を向くコンベヤフレームに、該コンベヤフレームの左右いずれか一方の側端より上向きに起立するとともに、物品を支持可能な支持アームを設けたことを特徴としている。
上記構成の本発明によると、支持アームは、コンベヤフレームに一体的に設けられているため、別体としての物品支持装置を製作してコンベヤの側方の床面に設置する必要はなく、設備費が低減するとともに、床面の省スペース化が図れ、かつ歩行等の妨げとなるのが防止される。
また、支持アームに、工具や物品等を支持することにより、コンベヤの上面の一部を簡単に作業台として使用することができる。
【０００８】
上記物品支持装置において、コンベヤフレームが左右１対よりなり、両コンベヤフレームの下面に、支持アームの下端に連接された左右方向を向く下部水平杆を固定するのが好ましい。
このようにすると、支持アームが片持ち状態で取付けられても、支持アームの取付強度が低下することはない。
【０００９】
上記物品支持装置において、左右１対のコンベヤフレームの下部に、前後方向を向き、かつ下端が開口する取付溝を設け、該取付溝内に回転不能かつ前後移動可能に嵌合されたナット部材に、支持アームの下部水平片に挿入したボルトを螺合することにより、コンベヤフレームに、支持アームを、前後方向に位置調節可能に取付けるのが好ましい。
このようにすると、コンベヤの長さや作業内容等に応じて、支持アームの前後方向の取付位置を簡単に調節することができるとともに、コンベヤフレームへの着脱も容易となる。
【００１０】
上記物品支持装置において、支持アームが、コンベヤフレームの下面に取付けられた下部水平杆と、その側端より起立する垂直杆と、該垂直杆の上端にコンベヤの搬送面と対向するように連接された上部水平杆とからなる正面視コ字状をなす少なくとも前後１対の支持アームからなり、かつ両支持アームの上部水平杆同士を連結杆により連結するのが好ましい。
このようにすると、支持アームの構造が簡単でかつ強度が高まるとともに、上部水平杆及び連結杆は、コンベヤの搬送面と対向してその上方に位置しているので、それらに吊支した工具等の操作性が向上する。
【００１１】
【発明の実施形態】
以下、本発明の実施形態を図面に基づいて説明する。
【００１２】
図１は、本発明の物品支持装置を備えるコンベヤの側面図、図２は、同じく正面図、図３は、図１のIII−III線の拡大縦断正面図である。
【００１３】
コンベヤ１は、前後両端部の下面が脚体２により支持された互いに前後方向（以下、図１の右方を前として説明する）を向いて平行をなす左右１対のコンベヤフレーム３，３間に、左右方向を向く軸回りに回転する多数のローラ４を、所定間隔おきに枢支して構成されたローラコンベヤである。
【００１４】
左右のコンベヤフレーム３は、図３に示すように、対向面側の斜め上方に切欠溝５が長手方向全長に亘って形成された欠円筒状断面をなし、アルミニウム合金等の引抜き加工により一体形成されている。
【００１５】
切欠溝５には、各ローラ４の両端より突出するローラ軸４ａを上方より嵌挿して支持可能な多数の支持溝６を有する合成樹脂製のローラ支持部材７が嵌着されている。
【００１６】
また、コンベヤフレーム３内の下端部には、上向きの突部８が長手方向に全長に亘って連設され、その内部には、下端がコンベヤフレーム３の下面の平坦面９に開口するとともに、下端部寄りの中間部に幅広溝部１０ａを有する上向凹状の取付溝１０が、全長に亘って形成されている。
【００１７】
１１は、突部８の頂面とコンベヤフレーム３の内面の上端とに結合された補強リブである。１２は、コンベヤ１の中央部側端に立設された物品支持装置で、次のように構成されている。
【００１８】
物品支持装置１２は、下部水平杆１３ａ，垂直杆１３ｂ及び上部水平杆１３ｃよりなる正面視コ字状をなす前後１対のパイプ状支持アーム１３，１３と、その上部水平杆１３ｃの下面同士を連結している前後方向を向く連結杆１４と、両垂直杆１３間の内側面に取付けられたワイヤパネル１５及び棚板１６とを備え、上下の水平杆１３ａ，１３ｃの左右寸法は、コンベヤ１の両フレーム３，３間の離間寸法より若干大とされている。
【００１９】
図３に示すように、上記両支持アーム１３の下部水平杆１３ａの左右両端部上面には、内向きコ字状をなすブラケット１７の下部水平片１７ａが溶接により固着されている。両ブラケット１７の上部水平片１７ｂは、左右のコンベヤフレーム３の下面の取付面９に、次のようにして固定されている。
【００２０】
すなわち、コンベヤフレーム３における取付溝１０の幅広溝部１０ａ内に、四角ナット１８を、回動不能かつ前後方向に摺動可能として嵌合し、この四角ナット１８に向かって、ブラケット１７の上部水平片１７ｂに下方より挿入したボルト１９を螺合することにより、左右のブラケット１７は両コンベヤフレーム３の下面に固定されている。
【００２１】
またこれにより、前後の支持アーム１３も、ブラケット１７を介して、左右のコンベヤフレーム３の下面に、垂直杆１３ｂを若干コンベヤ１の左側方（図２においては右側方）に位置させるとともに、上部水平杆１３ａがコンベヤ１の搬送面の上方に位置するように固定される。
【００２２】
上記ワイヤパネル１５は、その前後両端が前後の支持アーム１３における垂直杆１３ｂの内側面に溶接等により固着されている。また、上記棚板１６は、両垂直杆１３ｂの内側面に形成された上下複数の係合孔２０に外側端の係止爪（図示略）を係止して取付けたブラケット２１，２１により、上下位置調節可能に支持されている。
【００２３】
このような構成の物品支持装置１２における上部水平杆１３ｃや連結杆１４に、フック２２等を掛止し、このフック２２に例えば電動工具２３などを吊支することができる。
【００２４】
また、ワイヤパネル１５には、例えばレンチ等の手動工具を引っ掛けて吊支することができ、さらに棚板１６にはパーツボックス等を載置することができる。
【００２５】
従って、コンベヤ１を工場等の組立てライン等に設置することにより、コンベヤ１の上面の一部を作業台として、それにより搬送されてきた製品の組立て作業等を効率よく行うことができる。
【００２６】
しかも、物品支持装置１２は、コンベヤ１に一体的に取付けられているため、別体としての物品支持装置を製作して床面に設置する必要はなく、設備費が低減されるとともに、コンベヤ１の側方の床面の省スペース化が図れ、かつ歩行等の妨げとなることもない。
【００２７】
また、物品支持装置１２は、正面視コ字状をなしてコンベヤ１のフレーム３の下面に固定され、その搬送面の上方と一側方が大きく開放されているため、搬送物の障害となったり、組立作業の妨げとなるなどの問題はなく、かつ上部水平杆１３ｃは搬送面の上方に位置しているため、それに吊支した工具等の操作性が向上する。
【００２８】
さらに、支持アーム１３の下部水平杆１３ａの左右２個所が、左右のコンベヤフレーム３の下面に固定されているため、支持アーム１３が片持ち状態であっても、その取付強度が低下することはなく、またコンベヤ１に対する着脱も容易となる。
【００２９】
物品支持装置１２は、ボルト１９を緩めるだけで、コンベヤフレーム３の取付溝１０に沿って前後方向に簡単に移動することができるので作業内容やコンベヤ１の長さ等に応じて、物品支持装置１２の位置を最適とし得る。
【００３０】
本発明は、上記実施形態に限定されるものではなく、種々の形態をとり得る。
【００３１】
上記実施形態では、支持アーム１３をコ字状としたが、上部水平杆１３ｃを省略して、正面視逆Ｌ字状としてもよい。
【００３２】
また、支持アーム１３を、下部水平杆１３ａと垂直杆１３ｂ，及び上部水平杆１３ｃと垂直杆１３ｂよりなる２分割構造とし、上部水平杆１３ｃ側の垂直杆１３ｂを、下部水平杆１３ａ側の垂直杆１３ｂに、上下位置調節可能に取付けるようにしてもよい。
【００３３】
本発明は、各ローラ４が駆動手段により回転する駆動式のローラコンベヤ、無端の平ベルトを有するベルトコンベヤ又は搬送面に多数のボールを回転自在に突出させたボール型のコンベヤ等にも適用することができる。
【００３４】
【発明の効果】
本発明によれば、次のような効果が得られる。
（ａ）請求項１に記載の発明によれば、コンベヤフレームに物品の支持アームを一体的に設けているため、コンベヤに適した専用の物品支持装置を別途製作して、コンベヤの側方の床面に設置する必要はなく、設備費が低減するとともに、コンベヤの側方の床面の省スペース化が図れ、かつ歩行等の妨げとなることもない。
また、支持アームに工具や部品等を支持してこれを用いることにより、コンベヤの上面の一部を作業台として、製品の組立て等に使用することができる。
【００３５】
（ｂ）請求項２に記載の発明によれば、支持アームが片持ち状態で取付けられても、下部水平杆は左右１対のコンベヤフレームに固定されているため、支持アームの取付強度が低下することはない。
【００３６】
（ｃ）請求項３に記載の発明によれば、コンベヤの長さや作業内容等に応じて、支持アームの前後方向の取付位置を簡単に調節し得るとともに、コンベヤフレームへの着脱も容易となるので、コンベヤのレイアウト変更等も簡単に行うことができる。
【００３７】
（ｄ）請求項４に記載の発明によれば、支持アームの構造が簡単で安価となるとともに、強度も高まる。
また、上部水平杆及び連結杆は、搬送面の上方に位置しているので、それらに吊支した工具等の使い勝手がよくなり、作業能率が向上する。
さらに、搬送面の上方と一側方は大きく開放されるので、搬送物の障害となったり、組立作業の妨げとなるなどの問題の生じる恐れはない。
【図面の簡単な説明】
【図１】本発明の物品支持装置を備えるコンベヤの側面図である。
【図２】同じく、正面図である。
【図３】図１のIII−III線の拡大縦断正面図である。
【符号の説明】
１              コンベヤ
２              脚体
３              コンベヤフレーム
４              ローラ
４ａ            ローラ軸
５              切欠溝
６              支持溝
７              ローラ支持部材
８              突部
９              平坦面
１０            取付溝
１０ａ          幅広溝部
１１            補強リブ
１２            物品支持装置
１３            支持アーム
１３ａ          下部水平杆
１３ｂ          垂直杆
１３ｃ          上部水平杆
１４            連結杆
１５            ワイヤパネル
１６            棚板
１７            ブラケット
１７ａ          下部水平片
１７ｂ          上部水平片
１８            四角ナット
１９            ボルト
２０            係合孔
２１            ブラケット
２２            フック
２３            電動工具
【図１】
2004203558.tif 000003
【図２】
2004203558.tif 000004
【図３】
2004203558.tif 000005